(57)【要約】【課題】確実、かつ、簡単に、情報交換できるようにする。【解決手段】携帯電話機１−１は、携帯電話機１−２と、電磁波による非接触インタフェースを用いて実行される通信により通信相手を一旦確認し、その後、携帯電話網２を介してお互いが所有する情報を交換する。また、携帯電話機１−１は、通信装置５と、電磁波による非接触インタフェースを用いて実行される通信により通信相手を一旦確認し、その後、ネットワーク４を介してお互いが所有する情報を交換する。これにより、確実、かつ、簡単に、情報交換することができる。本発明は、携帯電話機に適用することができる。【選択図】　　　図１
2004040528.tif 000002
【特許請求の範囲】
【請求項１】
電子機器が近傍に配置されたことを検出する検出手段と、
前記検出手段により前記電子機器が近傍に配置されたことが検出された場合、前記電子機器の識別情報を取得する取得手段と、
前記取得手段により取得された前記識別情報に基づいて、前記電子機器とネットワークを介して通信する通信手段と、
前記通信手段により前記電子機器から得た情報を記憶する記憶手段と
を備えることを特徴とする情報処理装置。
【請求項２】
前記検出手段は、電磁波により通信を行うことにより前記電子機器を検出する
ことを特徴とする請求項１に記載の情報処理装置。
【請求項３】
前記検出手段は、赤外線により通信を行うことにより前記電子機器を検出する
ことを特徴とする請求項１に記載の情報処理装置。
【請求項４】
前記識別情報は、電話番号、電子メールアドレス、または、コンテンツのＵＲＬである
ことを特徴とする請求項１に記載の情報処理装置。
【請求項５】
前記情報は、前記電子機器の所有者の名前、住所、電話番号、電子メールアドレス、または、コンテンツのＵＲＬである
ことを特徴とする請求項１に記載の情報処理装置。
【請求項６】
電子機器が近傍に配置されたことを検出する検出ステップと、
前記検出ステップの処理により前記電子機器が近傍に配置されたことが検出された場合、前記電子機器の識別情報を取得する取得ステップと、
前記取得ステップの処理により取得された前記識別情報に基づいて、前記電子機器とネットワークを介して通信する通信ステップと、
前記通信ステップの処理により前記電子機器から得た情報を記憶する記憶ステップと
を含むことを特徴とする情報処理方法。
【請求項７】
電子機器が近傍に配置されたことを検出する検出ステップと、
前記検出ステップの処理により前記電子機器が近傍に配置されたことが検出された場合、前記電子機器の識別情報を取得する取得ステップと、
前記取得ステップの処理により取得された前記識別情報に基づいて、前記電子機器とネットワークを介して通信する通信ステップと、
前記通信ステップの処理により前記電子機器から得た情報を記憶する記憶ステップと
を含むことを特徴とするコンピュータが読み取り可能なプログラムが記録されている記録媒体。
【請求項８】
電子機器が近傍に配置されたことを検出する検出ステップと、
前記検出ステップの処理により前記電子機器が近傍に配置されたことが検出された場合、前記電子機器の識別情報を取得する取得ステップと、
前記取得ステップの処理により取得された前記識別情報に基づいて、前記電子機器とネットワークを介して通信する通信ステップと、
前記通信ステップの処理により前記電子機器から得た情報を記憶する記憶ステップと
をコンピュータに実行させるプログラム。
【発明の詳細な説明】
【０００１】
【発明の属する技術分野】
本発明は、情報処理装置および方法、記録媒体、並びにプログラムに関し、特に、確実、かつ、簡単に、情報交換できるようにした情報処理装置および方法、記録媒体、並びにプログラムに関する。
【０００２】
【従来の技術】
例えば、携帯電話機同士で、電話番号または電子メールアドレスを交換する場合がある。このような場合、従来は、自分の電話番号または電子メールアドレスを、お互いに口答やメモ書きで相手に通知したり、もしくは、一方が、口答やメモ書きにより通知された他方の電話番号または電子メールアドレスを用いて、他方に電話をかけたり、電子メールを送ることにより、お互いの電話番号または電子メールアドレスを交換していた。
【０００３】
【発明が解決しようとする課題】
しかしながら、電話番号または電子メールアドレスを交換する場合においては、お互いに電話番号などの情報を交換し、登録するまでには、必ず、上述したような処理を行う必要があり、その処理が煩雑であるという課題があった。
【０００４】
さらに、口答やメモ書きにより電話番号または電子メールアドレスを通知するため、相手に間違った情報を伝えてしまう恐れがあるという課題があった。
【０００５】
本発明は、このような状況に鑑みてなされたものであり、確実、かつ、簡単に、情報交換できるようにするものである。
【０００６】
【課題を解決するための手段】
本発明の情報処理装置は、電子機器が近傍に配置されたことを検出する検出手段と、検出手段により電子機器が近傍に配置されたことが検出された場合、電子機器の識別情報を取得する取得手段と、取得手段により取得された識別情報に基づいて、電子機器とネットワークを介して通信する通信手段と、通信手段により電子機器から得た情報を記憶する記憶手段とを備えることを特徴とする。
【０００７】
検出手段は、電磁波により通信を行うことにより電子機器を検出するようにすることができる。
【０００８】
検出手段は、赤外線により通信を行うことにより電子機器を検出するようにすることができる。
【０００９】
識別情報は、電話番号、電子メールアドレス、または、コンテンツのＵＲＬであるようにすることができる。
【００１０】
情報は、電子機器の所有者の名前、住所、電話番号、電子メールアドレス、または、コンテンツのＵＲＬであるようにすることができる。
【００１１】
本発明の情報処理方法は、電子機器が近傍に配置されたことを検出する検出ステップと、検出ステップの処理により電子機器が近傍に配置されたことが検出された場合、電子機器の識別情報を取得する取得ステップと、取得ステップの処理により取得された識別情報に基づいて、電子機器とネットワークを介して通信する通信ステップと、通信ステップの処理により電子機器から得た情報を記憶する記憶ステップとを含むことを特徴とする情報処理方法。
【００１２】
本発明の記録媒体のプログラムは、電子機器が近傍に配置されたことを検出する検出ステップと、検出ステップの処理により電子機器が近傍に配置されたことが検出された場合、電子機器の識別情報を取得する取得ステップと、取得ステップの処理により取得された識別情報に基づいて、電子機器とネットワークを介して通信する通信ステップと、通信ステップの処理により電子機器から得た情報を記憶する記憶ステップとを含むことを特徴とする。
【００１３】
本発明のプログラムは、電子機器が近傍に配置されたことを検出する検出ステップと、検出ステップの処理により電子機器が近傍に配置されたことが検出された場合、電子機器の識別情報を取得する取得ステップと、取得ステップの処理により取得された識別情報に基づいて、電子機器とネットワークを介して通信する通信ステップと、通信ステップの処理により電子機器から得た情報を記憶する記憶ステップとコンピュータに実行させることを特徴とする。
【００１４】
本発明の情報処理装置および方法、記録媒体、並びにプログラムにおいては、電子機器が近傍に配置されたことが検出された場合、電子機器の識別情報が取得され、取得された識別情報に基づいて、電子機器とネットワークを介して通信され、電子機器から得た情報が登録される。
【００１５】
ネットワークとは、少なくとも２つの装置が接続され、ある装置から、他の装置に対して、情報の伝達をできるようにした仕組みをいう。ネットワークを介して通信する装置は、独立した装置どうしであってもよいし、１つの装置を構成している内部ブロックどうしであってもよい。
【００１６】
【発明の実施の形態】
以下、図を参照して本発明の実施の形態について説明する。
【００１７】
図１は、本発明を適用した情報処理システムの構成例を表している。この構成例においては、携帯電話機１−１および１−２は、架電することにより、携帯電話網２を介して基地局３と無線通信が行われることで、お互いに通信を行う。また、携帯電話機１−１および１−２は、電子メール機能やＷＥＢ閲覧機能等を有しており、携帯電話網２を介して、インターネットに代表されるネットワーク４に接続されている基地局３と無線通信を行うことで、ネットワーク４を介して通信装置５と接続されている（なお、以下、携帯電話機１−１および１−２を個々に区別する必要がない場合、単に携帯電話機１と称する）。
【００１８】
通信装置５は、街中等に設置された街頭端末であり、ネットワーク４に接続されている。ユーザは、通信装置５を用いて、好みのコンテンツを作成する。作成されるコンテンツとしては、例えば、通信装置５上においてネットワーク４を介して、図示せぬサーバから収集した情報に対して編集作業を行ったもの（すなわち、飲食店の検索結果をまとめたもの）、または、通信装置５を用いて画像が撮影され、それに落書きなどが編集された画像データなどがある。通信装置５は、これらのコンテンツの情報（例えば、ＵＲＬ（Ｕｎｉｆｏｒｍ　Ｒｅｓｏｕｒｃｅ　Ｌｏｃａｔｏｒ）など）をネットワーク４を介して携帯電話機１に提供する。
【００１９】
また、携帯電話機１−１，１−２および通信装置５は、お互いを近接させることにより、電磁波を介して各種の情報を送受信する非接触近距離通信を行う。
【００２０】
なお、この例においては、基地局３および通信装置５をそれぞれ１台とし、携帯電話機１を２台としたが、接続の台数は任意である。
【００２１】
図２は、携帯電話機１の構成例を示すブロック図である。図２において、ＣＰＵ（Ｃｅｎｔｒａｌ　Ｐｒｏｃｅｓｓｉｎｇ　Ｕｎｉｔ）２１は、ＲＯＭ（Ｒｅａｄ　Ｏｎｌｙ　Ｍｅｍｏｒｙ）２２に記憶されているプログラム、または記憶部３０からＲＡＭ（Ｒａｎｄｏｍ　Ａｃｃｅｓｓ　Ｍｅｍｏｒｙ）２３にロードされたプログラムに従って各種の処理を実行する。ＲＡＭ２３にはまた、ＣＰＵ２１が各種の処理を実行する上において必要なデータなども適宜記憶される。
【００２２】
ＣＰＵ２１、ＲＯＭ２２、およびＲＡＭ２３は、バス２４を介して相互に接続されている。このバス２４にはまた、入出力インタフェース２５も接続されている。
【００２３】
入出力インタフェース２５には、各種のボタンやスイッチなどにより構成される入力部２６、ユーザの音声信号を取り込むマイクロフォン２７、所定の情報を表示するためのＬＣＤ（Ｌｉｑｕｉｄ　Ｃｒｙｓｔａｌ　Ｄｉｓｐｌａｙ）２８、ユーザに対して音声信号を出力するスピーカ２９などが接続されている。入出力インタフェース２５には、さらに、半導体メモリなどにより構成される記憶部３０と、携帯電話網２を介して通信を行う通信部３１が接続されている。入出力インタフェース２５にはまた、他の電子機器（例えば、通信装置５の非接触インタフェース６３）と非接触近距離通信を行う非接触インタフェース（Ｉ／Ｆ）３２が接続されている。
【００２４】
非接触インタフェース３２は、例えば、通信装置５の非接触インタフェース６３（図３）と電磁波を介して通信し、記憶部３０などに記憶されている携帯電話機１の識別情報を非接触インタフェース６３に送信する。また、非接触インタフェース３２は、非接触インタフェース６３から電磁波を介して供給された情報を、記憶部３０などに記憶したり、記憶部３０を構成するデータベース（例えば、アドレス帳）に登録する。
【００２５】
図３は、通信装置５の構成例を表している。ＣＰＵ５１乃至入出力インタフェース５５は、図２の携帯電話機１のＣＰＵ２１乃至入出力インタフェース２５と基本的に同様の機能を有するものであるので、その説明は省略する。
【００２６】
通信装置５においては、入出力インタフェース５５には、入力表示部５８の他、操作方法などの音声情報を出力するスピーカ５９、カメラなどにより構成され、ユーザを撮影し、その撮影された画像データを入力する撮影部６０、半導体メモリまたはハードディスクなどにより構成される記憶部６１、モデム、ターミナルアダプタなどより構成されるネットワークインタフェース（Ｉ／Ｆ）６２が接続されている。
【００２７】
入力表示部５８は、ユーザの指の操作を検知する透明なタブレットにより構成される入力部５６、並びに入力部５６の下側に配置され、文字、図形などの画像を有するＬＣＤ５７が設けられている。また、入力表示部５８には、携帯電話機１の非接触インタフェース３２と同様に、他の電子機器と非接触近距離通信を行う非接触インタフェース（Ｉ／Ｆ）６３が設けられる。ネットワークインタフェース６２は、インターネットに代表されるネットワーク４を介しての通信処理を行う。
【００２８】
入出力インタフェース５５にはまた、必要に応じてドライブ７０が接続され、磁気ディスク７１、光ディスク７２、光磁気ディスク７３、或いは半導体メモリ７４などが適宜装着され、それらから読み出されたコンピュータプログラムが、必要に応じて記憶部６１にインストールされる。
【００２９】
次に、図４のフローチャートを参照して、携帯電話機１−１と携帯電話機１−２の通信処理について説明する。携帯電話機同士において電子メールアドレスまたは電話番号などを交換する場合、携帯電話機１−１を所有するユーザと携帯電話機１−２を所有するユーザは、お互いに、携帯電話機１−１および１−２を近づける。
【００３０】
携帯電話機１−１および１−２の非接触インタフェース３２は、それぞれ充分短い周期で定期的に電磁波を送信している。携帯電話機１−１と携帯電話機１−２とが近づくと、携帯電話機１−１の非接触インタフェース３２は、携帯電話機１−２の非接触インタフェース３２からの電磁波を受信する。これにより、携帯電話機１−１は、携帯電話機１−２が近接したことを検出する。
【００３１】
したがって、ステップＳ１において、携帯電話機１−１の非接触インタフェース３２は、携帯電話機１−２からの電磁波を受信したか否か、すなわち、携帯電話機１−２を検出したか否かを判断し、携帯電話機１−２を検出するまで待機する。ステップＳ１において、携帯電話機１−２を検出したと判断された場合、ステップＳ２において、携帯電話機１−１の非接触インタフェース３２は、携帯電話機１−２に識別情報を要求する。
【００３２】
携帯電話機１−２の非接触インタフェース３２は、ステップＳ２１において、この携帯電話機１−１の要求を受信し、ステップＳ２２において、記憶部３０に記憶されている識別情報（いまの場合、電子メールアドレス）を、携帯電話機１−１に送信する。
【００３３】
ステップＳ３において、携帯電話機１−１の非接触インタフェース３２は、携帯電話機１−２からの電子メールアドレスを受信し、ステップＳ４において、通信部３１は、この電子メールアドレスを用いて、記憶部３０に記憶されている携帯電話機１−１の詳細情報Ａを、無線通信により、携帯電話網２の基地局３を介して携帯電話機１−２に送信する。
【００３４】
この詳細情報は、携帯電話機の所有者の名前、電子メールアドレス、電話番号、住所、生年月日、または、画像データなどの個人情報により構成される。
【００３５】
ステップＳ２３において、携帯電話機１−２の通信部３１は、携帯電話機１−１からの詳細情報Ａを受信し、それをＣＰＵ２１に供給する。ステップＳ２４において、携帯電話機１−２のＣＰＵ２１は、その詳細情報Ａを記憶部３０に供給し、記憶部３０を構成するアドレス帳などのデータベースに登録させる。ステップＳ２５において、携帯電話機１−２の通信部３１は、受信した詳細情報Ａの中から、携帯電話機１−１の電子メールアドレスを用いて、記憶部３０に記憶されている携帯電話機１−２の詳細情報Ｂを、無線通信により、携帯電話網２の基地局３を介して携帯電話機１−１に送信する。
【００３６】
ステップＳ５において、携帯電話機１−１の通信部３１は、携帯電話機１−２からの詳細情報Ｂを受信し、それをＣＰＵ２１に供給する。ステップＳ６において、携帯電話機１−１のＣＰＵ２１は、その詳細情報Ｂを記憶部３０に供給し、記憶部３０を構成するアドレス帳などのデータベースに登録させる。
【００３７】
以上のように、非接触インタフェースを用いて、通信する相手を一旦確認し、それに基づいて、携帯電話網など別の通信方法を用いて、詳細情報を交換し、登録するようにしたので、簡単、かつ確実に情報交換を行うことができる。
【００３８】
以上においては、携帯電話機１−１が携帯電話機１−２を検出するように説明したが、携帯電話機１−２が携帯電話機１−１を検出するようにしてもよい。
【００３９】
なお、以上において、識別情報に電子メールアドレスを用いたが、例えば、電話番号またはネットワークアドレスなど、相手を特定できるもので、かつ、それを用いて、非接触インタフェース以外による通信ができるものであればよい。
【００４０】
上記説明において、携帯電話網を用いた場合を説明したが、その他のネットワークとしてもよい。
【００４１】
次に、図５のフローチャートを参照して、携帯電話機１と通信装置５の通信処理について説明する。通信装置５は、街中等に設置された街頭端末であり、ネットワーク４に接続されている。ユーザは、街頭端末である通信装置５を用いて、好みのコンテンツを作成する。図５の例の場合、ユーザが、ネットワーク４を介して図示せぬサーバから飲食店を検索し、通信装置５上でその検索結果をまとめる。これに対応して、通信装置５のＬＣＤ５７の検索結果画面上に、例えば、「ここに、携帯電話機を近づけてください」という表示とともに、携帯電話機を近づける位置が指示される。ＬＣＤ５７において、指示された位置の下には、非接触インタフェース６３が配置されている。
【００４２】
ユーザは、その検索結果がまとめられたコンテンツを携帯電話機１において閲覧するために、携帯電話機１を、ＬＣＤ５７により指示された位置（ＬＣＤ５７の非接触インタフェース６３がある位置）に近づける。携帯電話機１の非接触インタフェース３２および通信装置５の非接触インタフェース６３は、それぞれ充分短い周期で定期的に電磁波を送信している。そこで、ステップＳ４１において、通信装置５の非接触インタフェース６３は、携帯電話機１からの電磁波を受信したか否か、すなわち、携帯電話機１を検出したか否かを判断し、携帯電話機１を検出するまで待機している。ステップＳ４１において、携帯電話機１を検出したと判断された場合、ステップＳ４２において、通信装置５の非接触インタフェース６３は、携帯電話機１に識別情報を要求する。
【００４３】
携帯電話機１の非接触インタフェース３２は、ステップＳ６１において、この通信装置５の要求を受信し、ステップＳ６２において、記憶部３０に記憶されている識別情報（いまの場合、電子メールアドレス）を、通信装置５に送信する。
【００４４】
ステップＳ４３において、通信装置５の非接触インタフェース６３は、携帯電話機１からの電子メールアドレスを受信する。ステップＳ４４において、ネットワークインタフェース６２は、この電子メールアドレスを用いて、このユーザにより希望されたコンテンツの情報（いまの場合、例えば、コンテンツのＵＲＬ）を、ネットワーク４を介して携帯電話機１に送信する。実際には、通信装置５からのコンテンツの情報は、ネットワーク４に接続された基地局３により、携帯電話網２を介して、無線通信で携帯電話機１に送信される。
【００４５】
ステップＳ６３において、携帯電話機１の通信部３１は、通信装置５からのコンテンツの情報を受信し、それをＣＰＵ２１に供給する。ステップＳ６４において、携帯電話機１のＣＰＵ２１は、そのコンテンツの情報を記憶部３０に供給し、記憶部３０に記憶させる。ステップＳ６５において、通信部３１は、そのＵＲＬを用いて、携帯電話網２を介してネットワーク４のサーバにアクセスする。実際には、携帯電話機１は、携帯電話網２を介して無線通信により基地局３と通信し、その基地局３を介してネットワーク４に接続されたサーバにアクセスすることにより、希望するコンテンツを取得できる。
【００４６】
以上により、携帯電話機１において、通信装置５で検索した結果を閲覧したり、それらの情報をダウンロードすることができる。
【００４７】
このコンテンツ情報は、飲食店の検索結果をまとめたコンテンツのＵＲＬとしたが、例えば、その検索された飲食店のＵＲＬの一覧としてもよい。
【００４８】
以上のように、非接触インタフェースを用いて、通信する相手を一旦確認し、それに基づいて、携帯電話網またはインターネットなどの別の通信方法を用いて、詳細情報を交換し、記憶するようにしたので、簡単、かつ確実に情報交換を行うことができる。
【００４９】
次に、図６のフローチャートを参照して、携帯電話機１と通信装置５の他の通信処理について説明する。ユーザは、街頭端末である通信装置５を用いて、好みのコンテンツ情報を作成する。図６の例の場合、ユーザが、通信装置５を用いて自分を撮影し、撮影された画像データに落書きなどの画像編集を行う。これに対応して、通信装置５のＬＣＤ５７上に、例えば、「ここに、携帯電話機を近づけてください」という表示とともに、携帯電話機を近づける位置が指示される。ＬＣＤ５７において、指示された位置の下には、非接触インタフェース６３が配置されている。
【００５０】
ユーザは、その画像データを携帯電話機１に取得するために、携帯電話機１を、ＬＣＤ５７により指示された位置（ＬＣＤ５７の非接触インタフェース６３がある位置）に近づける。携帯電話機１の非接触インタフェース３２および通信装置５の非接触インタフェース６３は、それぞれ充分短い周期で定期的に電磁波を送信している。そこで、ステップＳ８１において、携帯電話機１の非接触インタフェース３２は、通信装置５からの電磁波を受信したか否か、すなわち、通信装置５を検出したか否かを判断し、通信装置５を検出するまで待機している。ステップＳ８１において、通信装置５を検出したと判断された場合、ステップＳ８２において、携帯電話機１の非接触インタフェース３２は、通信装置５に識別情報を要求する。
【００５１】
通信装置５の非接触インタフェース６３は、ステップＳ１０１において、この携帯電話機１の要求を受信し、ステップＳ１０２において、記憶部６１に記憶されている識別情報（いまの場合、電子メールアドレス）を、携帯電話機１に送信する。
【００５２】
ステップＳ８３において、携帯電話機１の非接触インタフェース３２は、通信装置５からの電子メールアドレスを受信し、ステップＳ８４において、通信部３１は、この電子メールアドレスを用いて、記憶部３０に記憶されている詳細情報をネットワーク４を介して通信装置５に送信する。実際には、携帯電話機１からの詳細情報は、携帯電話網２を介して基地局３と無線通信され、基地局３によりネットワーク４を介して通信装置５に送信される。
【００５３】
この詳細情報は、携帯電話機の所有者の名前、電子メールアドレス、電話番号、住所、生年月日、または、画像データなどの個人情報により構成されるが、取得したい情報を、通信装置５にて制限するようにしてもよいし、公開したくない情報を、携帯電話機１にて制限するようにしてもよい。
【００５４】
ステップＳ１０３において、通信装置５のネットワークインタフェース６２は、携帯電話機１からの詳細情報を受信し、それをＣＰＵ５１に供給する。ステップＳ１０４において、通信装置５のＣＰＵ５１は、その詳細情報を記憶部６１に供給し、記憶部６１を構成するデータベースに記憶させる。ステップＳ１０５において、通信装置５のネットワークインタフェース６２は、受信した詳細情報の中から、携帯電話機１の電子メールアドレスを用いて、編集された画像データを、ネットワーク４を介して携帯電話機１に送信する。実際には、ネットワークインタフェース６２は、ネットワーク４を介して基地局３と通信し、基地局３により、携帯電話網２を介して無線通信で携帯電話機１に送信される。
【００５５】
ステップＳ８５において、携帯電話機１の通信部３１は、通信装置５からの画像データを受信し、それをＣＰＵ２１に供給する。ステップＳ８６において、携帯電話機１−１のＣＰＵ２１は、その画像データを記憶部３０に供給し、記憶部３０に記憶させる。
【００５６】
これにより、ユーザは、通信装置５で撮影された画像データを自分の携帯電話機１に取得し、記憶することができる。
【００５７】
以上のように、ユーザは、希望する画像データを無料で取得できるかわりに詳細情報を提供するので、通信装置５においては、詳細情報、すなわち、個人情報をデータベース化することができ、その結果、統計に用いたり、ビジネスユースに役立つ情報とすることができる。
【００５８】
さらに、この場合、ユーザは、詳細情報を提供するために、煩わしい入力作業をする必要がなくなり、これにより、通信装置５のユーザによる占有時間も短縮される。
【００５９】
以上においては、識別情報としては、電子メールアドレスを用いたが、ネットワークアドレスとしてもよい。
【００６０】
以上のように、非接触インタフェースを用いて、通信する相手を特定し、それに基づいて、携帯電話網などの別の通信方法を用いて、詳細情報を交換し、登録するようにしたので、簡単、かつ確実に情報交換を行うことができる。
【００６１】
上記説明においては、半導体メモリなどによる記憶部に記憶されている情報を取得するようにしたが、固定的な情報であれば、ＩＣカードなどにより構成されるようにしてもよい。その場合、非接近インタフェースは、ＩＣカードのリーダライタを含むように構成してもよい。
【００６２】
また、上記説明においては、非接触インタフェースを用いて、通信することにより、通信相手を特定するようにしたが、非接触インタフェースの代わりに、ＯＢＥＸ（Ｏｂｊｅｃｔ　Ｅｘｃｈａｎｇｅ　ｐｒｏｔｏｃｏｌ）プロトコルによる赤外線インタフェースを用いるようにしてもよい。
【００６３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【００６４】
コンピュータにインストールされ、コンピュータによって実行可能な状態とされるプログラムを格納するプログラム格納媒体は、図３に示されるように、磁気ディスク７１（フレキシブルディスクを含む）、光ディスク７２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク７３（ＭＤ（Ｍｉｎｉ−Ｄｉｓｃ）（商標）を含む）、もしくは半導体メモリ７４などよりなるパッケージメディア、または、プログラムが一時的もしくは永続的に格納されるＲＯＭ５２や、記憶部６１などにより構成される。
【００６５】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６６】
なお、本明細書において、システムとは、複数の装置により構成される装置全体を表すものである。
【００６７】
【発明の効果】
以上の如く、本発明によれば、正しい相手と確実に情報交換できる。また、本発明によれば、簡単に情報交換できる。
【図面の簡単な説明】
【図１】本発明を適用した情報処理システムの構成を示す図である。
【図２】図１の携帯電話機の構成例を示すブロック図である。
【図３】図１の通信装置の構成を示すブロック図である。
【図４】図１の携帯電話機の通信処理を説明するフローチャートである。
【図５】図１の携帯電話機および通信装置の通信処理を説明するフローチャートである。
【図６】図１の携帯電話機および通信装置の他の通信処理を説明するフローチャートである。
【符号の説明】
１−１，１−２　携帯電話機，２　携帯電話網，３　基地局，４　ネットワーク，５　通信装置，２１　ＣＰＵ，３０　記憶部，３１　通信部，３２　非接触インタフェース，５１　ＣＰＵ，６１　記憶部，６２　ネットワークインタフェース，６３　非接触インタフェース
【図１】
2004040528.tif 000003
【図２】
2004040528.tif 000004
【図３】
2004040528.tif 000005
【図４】
2004040528.tif 000006
【図５】
2004040528.tif 000007
【図６】
2004040528.tif 000008